(57)【特許請求の範囲】
【請求項１】
中掘り工法において中空管杭を所定深度まで沈設し、セメントミルクの高圧噴射と低圧注入を同時に実施し、高圧噴射することにより拡大根固め球根の主に外部側を、かつ低圧注入により拡大根固め球根の主に内部側を造成して、拡大根固め球根を中空管杭先端部に築造することを特徴とする中空管杭の施工方法。
【請求項２】
オーガロッドの先端近傍に低圧吐出口が開口され、オーガロッドの先端近傍においてオーガロッドより外方に延出したパイプの先端開口を高圧噴射口とするオーガを使用し、前記高圧噴射はオーガの高圧噴射口より噴射し、前記低圧注入はオーガの低圧吐出口より注入することを特徴とする請求項１記載の中空管杭の施工方法。
【請求項３】
拡大根固め球根築造と同時乃至築造後に、中空管杭を該拡大根固め球根中に貫入させることを特徴とする請求項１または２記載の中空管杭の施工方法。
【請求項４】
中空管杭が所定深度に達する前から、セメントミルクの高圧噴射を実施することにより、中空管杭外側面より外方にセメントミルクを存在させることを特徴とする請求項１乃至３のいずれかに記載の中空管杭の施工方法。
【請求項５】
拡大根固め球根築造後オーガを引き上げる際に、中空管杭先端部内面に向けてセメントミルクを高圧噴射することを特徴とする請求項１乃至４のいずれかに記載の中空管杭の施工方法。
【請求項６】
中空管杭先端部外側面にフリクションカッターとしての平鋼板が固設されていることを特徴とする請求項１乃至５のいずれかに記載の中空管杭の施工方法。
【請求項７】
中空管杭が鋼管杭であり、該鋼管杭先端部内面にリング状の鉄筋または鋼材が溶接されていることを特徴とする請求項１乃至６のいずれかに記載の中空管杭の施工方法。
【発明の詳細な説明】
【０００１】
【発明の属する技術分野】
この発明は、ＰＨＣ杭や鋼管杭等の中空管杭の施工方法に関し、特に、拡大根固め球根の築造に特徴を有する中空管杭の施工方法に関する。
【０００２】
【従来の技術】
従来、中空管杭の埋込み工法は、中空管杭を中掘り工法あるいはプレボーリング工法等で所定深度まで沈設し、杭先端地盤を拡大掘削してセメントミルクを注入することにより拡大根固め球根を築造し、この拡大根固め球根と中空管杭を連結する方法が一般的である。そして、拡大掘削する方法には、機械的な拡大掘削方式と高圧噴射（ジェット）を用いる方式とがある。
【０００３】
【発明が解決しようとする課題】
中掘り工法による中空管杭の拡大根固め球根を機械的な拡大掘削方式で実施すると、拡大掘削装置が複雑になり排土不良による施工性能が低下したり、簡便な逆回転拡大装置にすると拡大掘削が不確実になるという課題がある。
【０００４】
一方、高圧噴射（ジェット）方式を採用すると、掘削装置は簡素になるものの根固め球根の築造に時間がかかるという課題がある。セメントミルクの高圧噴射は、通常、外径２〜４ｍｍのノズルから２０Ｎ／ｍｍ２を超える圧力で噴出し、吐出量は５０〜３００リットル／分程度である。そのため、中空管杭の外径が大きくなると根固め球根も必然的に外径、高さとも大きくなるため、単位時間当たりのセメントミルク吐出量の小さい高圧噴射方式は、根固め球根の築造に時間がかかることとなる。
【０００５】
また、中掘り工法による中空管杭の施工方法では、一般に中空管杭先端部周面にフリクションカッターが固設されているため、このフリクションカッターの存在により中空管杭周辺部の地盤が緩み、周面摩擦力が小さいという課題がある。
【０００６】
さらに、中掘り工法で中空管杭を沈設すれば、杭中空部内を土砂が下方から上方へ通過するため、中空管杭内壁面に土砂が付着する。そのため、特に中空管杭が鋼管で形成されているとき、中空管杭先端部と拡大根固め球根との一体化を低下させたり、中空管杭先端部と拡大根固め球根との軸方向力の伝達を阻害したりする可能性がある。
【０００７】
この発明は上記課題を解決して、中掘り工法による中空管杭周面の摩擦力を向上させ、かつ拡大根固め球根の築造効率を向上させる中空管杭の施工方法を提供するものである。
【０００８】
【課題を解決するための手段】
前記課題を解決するため、この発明の中空管杭の施工方法は、中掘り工法において中空管杭を所定深度まで沈設し、セメントミルクの高圧噴射と低圧注入を同時に実施し、高圧噴射することにより拡大根固め球根の主に外部側を、かつ低圧注入により拡大根固め球根の主に内部側を造成して、拡大根固め球根を中空管杭先端部に築造することを特徴とする。
これにより根固め球根の拡大部分（外部側）を吐出量の小さい高圧噴射で築造し、内部側の部分を吐出量の大きな低圧注入で築造し、両者を同時に実施することにより、短時間で根固め球根を築造することができる。
【０００９】
また、前記中空管杭の施工方法において、オーガロッドの先端近傍に低圧吐出口が開口され、オーガロッドの先端近傍においてオーガロッドより外方に延出したパイプの先端開口を高圧噴射口とするオーガを使用して、高圧噴射はオーガの高圧噴射口より噴射し、前記低圧注入はオーガの低圧吐出口より注入して実施する。なお、オーガロッドの先端近傍とは、スクリュー羽根（螺旋翼）の最先端より一周程度隔れている位置まで含む表現である。
【００１０】
中掘り工法において、中空管杭の先端部を拡大根固め球根中に位置させる方法には、拡大根固め球根を築造しつつ同時に貫入させる方法と、拡大根固め球根築造後に、拡大根固め球根中に貫入させる方法とがあるが、この発明の方法においては、いずれの方法を採用してもよい。
【００１１】
また、この発明の中空管杭の施工方法においては、中空管杭が所定深度に達する前から、セメントミルクの高圧噴射を実施する。これにより拡大根固め球根より前（上方）の中空管杭外側面の外側にセメントミルクを存在させることができ、これにより中空管杭の周面摩擦力を回復させ増大させることができる。
【００１２】
また、中掘り工法で中空管杭を沈設すれば、杭中空部内を土砂が下方から上方へ通過するため、中空管杭内壁面に土砂が付着する。そこで、この発明では拡大根固め球根築造後オーガを引き上げる際、中空管杭先端部内面に向けてセメントミルクを高圧噴射する。これにより付着した土砂を除去して（吹き飛ばして）中空管杭先端部中空部内にセメントミルクが充填されるので、中空管杭先端部と拡大根固め球根との一体化が強固になり、先端閉塞効果を発揮して軸方向支持力が増大する。
【００１３】
また、中空管杭には、先端部外側面にフリクションカッターとしての平鋼板を固設した中空管杭を使用する。それにより中空管杭と地盤孔壁面との摩擦力が低下し、中空管杭の沈設が容易となる。
【００１４】
また、この発明は、中空管杭が鋼管杭の場合には、先端内面にリング状の鉄筋または鋼材を固設する。これにより鋼管杭先端部内にセメントミルクが充填されると、中空管杭と拡大根固め球根との一体化が確実になり、先端閉塞効果を発揮して先端支持力が向上する。このリング状の鉄筋または鋼材に代えて鋼管杭の先端部側面部をリング状に突出加工した少なくとも１段の節部であってもよい。これにより同様の効果が得られると共に、節部内部にはセメントミルク硬化体が充填されるため、節部に軸方向圧縮力が作用しても、三次元拘束効果もあるため、十分な耐力を有するし、先端部の鉛直方向投影面積をも大きくしているため面積効果により先端支持力も増大する。
また、前記先端側面部をリング状に突出加工した節部を設けた鋼管杭の場合には、鋼管杭の先端外径を節部の外径と略同一に拡大加工すると、この拡大加工した先端が節部鉛直方向投影面積相当分の先端部土砂を鋼管杭中に引き込む作用をし、鋼管杭の沈設が容易となるので好ましい。
【００１５】
また、この発明の中空管杭の施工方法は、オーガロッドの先端近傍に低圧吐出口が開口され、オーガロッドの先端近傍においてオーガロッドより外方に延出したパイプの先端開口を高圧噴射口とするオーガが存在する施工装置を使用して実施すると、セメントミルクをオーガの高圧噴射口により外側に高圧噴射でき、オーガの低圧吐出口により内側に吐出注入できる。従って、根固め球根の拡大部分（外部側）を吐出量の小さい高圧噴射で築造し、内側の部分を吐出量の大きな低圧注入で築造できる。
また、前記オーガのオーガロッドが、外管と内管の二重管であり、外管と内管との間および内管内がセメントミルクの通路となり、この一方の通路に高圧噴射口が、他方の通路に低圧吐出口が連通されていると、その両者の通路よりセメントミルクを供給し、高圧噴射口および低圧吐出口よりセメントミルクを吐出し拡大根固め球根を築造できる。
【００１６】
【発明の実施の形態】
以下、この発明の実施の形態について図面を参照して詳細に説明する。図１は実施の形態を示す中空管杭の施工装置としてのオーガの一部破断要部正面図である。
このオーガ１は、オーガロッド２の外周にスクリュー羽根６が螺旋状に巻き付けられて固着されており、このスクリュー羽根６の先端には、ビット７が固設されている。従って、このオーガ１に回転と推力を与えると、地盤はスクリュー羽根６先端のビット７で掘削され、この掘削された掘削土は、スクリュー羽根６でガイドされ地上に排出される。
【００１７】
このオーガ１は、先端近傍に、外側に位置する高圧噴射口８と、内側に位置する低圧吐出口９とを具備する。内側に位置する低圧吐出口９は、オーガロッド２に開口して設けられており、また、オーガロッド２からは、スクリュー羽根６の下面に沿ってスクリュー羽根６の外径近くまでパイプ１０が外出され、高圧噴射口８は、そのパイプ１０の先端開口となっている。
【００１８】
前記オーガロッド２は、外管３と内管４の二重管で構成され、外管３と内管４との間および内管４内がセメントミルクの通路５ａおよび５ｂとなっている。前記高圧噴射口８は前記通路５ａおよび５ｂの一方に、低圧吐出口９は前記通路５ａおよび５ｂの他方に連通されている。例えば、高圧噴射口８は通路５ｂに連通され、低圧吐出口９は通路５ａに連通されている。そして、高圧噴射口８の通路５ｂには、セメントミルクが高圧で供給され、低圧吐出口９の通路５ａには、セメントミルクが低圧で供給される。従って、オーガロッド２の通路５ｂおよび５ａを通して供給されるセメントミルクは、高圧噴射口８および低圧吐出口９から吐出される。この時、高圧噴射口８と低圧吐出口９は、その口径を、高圧噴射口８は小さく、低圧吐出口９は大きく形成しており前記のように供給する圧力を異にして吐出圧力を異にすると共に、単位時間当りのセメントミルクの吐出量も異にする。高圧噴射口８からは、単位時間当りの吐出量は小さいが高圧噴射し、低圧吐出口９からの吐出量は大きいが低圧吐出となる。
【００１９】
なお、高圧噴射口８と低圧吐出口９の設けられる高さレベルは、両者が同一高さ位置であっても、高さ位置を異にしてもよい。図１においては、両者８、９が、略同一レベルの場合を示し、図２では高圧噴射口８が低圧吐出口９より高い位置にある場合を示している。
【００２０】
次に、上記オーガ１を使用しての中空管杭の施工方法を、図２乃至図４について説明する。図２は中空管杭とオーガのセット状態を示す一部断面説明図、図３は中空管杭の一例を示す半断面正面図、図４は上記オーガ１を使用しての中空管杭１１の施工方法を、工程順（ａ）（ｂ）（ｃ）（ｄ）（ｅ）（ｆ）に示す説明図である。
【００２１】
まず、図２に示すように、地盤に沈設しようとする中空管杭１１内にオーガ１をセットする。この時、オーガ１と中空管杭１１とは同心的に位置させ、オーガ１の先端部分は、高圧噴射口８および低圧吐出口９を、中空管杭１１の先端より下方に外出させた状態として、地盤に垂直に立設させ、オーガ１と中空管杭１１の頂部（上端）を、施工機（従来公知のものであるので省略する）に連結する。
【００２２】
中空管杭１１としては特に制限があるわけでなく、ＰＨＣ杭や鋼管杭等の従来公知の中空管杭は全て採用しうるが、中空管杭１１が鋼管杭の場合には、図２に示すように鋼管杭１１ａの先端内周壁面に鉄筋または平鋼板で形成された少なくとも１段のリング筋１２を固設すると、杭先端部と根固め球根を確実に一体化させて、杭先端部の閉塞効果を確実にし、杭の先端支持力を確実に発現させるので好ましい。また、中空管杭１１が鋼管杭１１ａの場合には、図３に示すように鋼管杭１１ａの先端部を内面から外方に押し拡げることにより、少なくとも１段のリング状に形成された節部１３としてもよい。この場合にも上記と同様の効果が得られるので好ましい。また節部内部にはセメントミルク硬化体が充填されるため、節部に軸方向圧縮力が作用しても、三次元拘束効果もあるため、十分な耐力を有するし、節部は先端部の鉛直方向投影面積をも大きくしているため面積効果により先端支持力も増大する。
また、中空管杭１１が鋼管杭１１ａの場合には、鋼管杭１１ａの先端部にフリクションカッターが設けられていると、鋼管杭１１ａの沈設が容易となるので好ましい。図２においてはフリクションカッターとして平鋼板１４が示され、図３においては鋼管杭１１ａの先端外径を節部１３の外径と略同一に拡大加工１５した場合を示している。これらのフリクションカッターは例示であって、これらの実施の形態に制限されるものではなく、従来公知のものは全て採用し得る。
【００２３】
次に、前記施工機に連結されたオーガ１と中空管杭１１には、この施工機によりオーガ１には回転力と推力を付与し、中空管杭１１には押込力を与える。この中空管杭１１には少なくとも押込力を与えればよいが、これに回転力を付与させてもよい。回転力を与えたときは、中空管杭１１の沈設が一層効果的となる。以下では中空管杭１１に押込力を与えた場合で説明しているが、これは回転を与えた場合も包含するものである。
【００２４】
オーガ１に回転力と推力が与えられ、オーガ１が回転すると、スクリュー羽根６の先端に設けられたビット７により地盤は掘削され、この掘削土は回転するスクリュー羽根６により中空管杭１１内を搬送されて地上に排出されると共に、オーガ１には推力も付与されているので、掘進する。これにより地盤には削孔が形成されるが、このオーガ１の掘進と共に中空管杭１１もオーガ１と一緒に削孔に進入していく。このようにして図４（ａ）に示すように中空管杭１１の沈設が進行する。
【００２５】
続いて、図４（ｂ）に示すように中空管杭１１が途中まで達したらオーガ１の高圧噴射口８からセメントミルクの高圧噴射を実施して、中空管杭１１の沈設を続行する。外側に位置する高圧噴射口８からの高圧噴射であることによりセメントミルクは中空管杭１１の外側に存在するようになり、図４（ｃ）に示すように中空管杭１１は、中空管杭１１と孔壁面との間にセメントミルク１６が存在して沈設され、中空管杭１１の外周面にセメントミルク１６が付着するようになる。この施工区間は、図９のＡの部分に相当する。従来フリクションカッターの存在により沈設された中空管杭の周面摩擦力は小さかったが、これによりフリクションカッター１４または１５の存在にも拘わらず中空管杭１１の周面摩擦力を回復して確保することができる。その後の杭の沈設に時間がかかり、セメントミルクの硬化により施工能率が低下したり、杭の沈設が不能になるおそれがあるときは、セメントミルクに硬化遅延剤を添加したり、硬化遅延型のセメントを使用することもある。
【００２６】
次に、中空管杭１１が所定の深度に達したら、オーガ１の高圧噴射口８と低圧吐出口９からのセメントミルクの高圧噴射と低圧注入を同時に実施して拡大根固め球根１７を築造し、この拡大根固め球根１７中に中空管杭１１の先端部を貫入させる。この根固め球根築造区間は、図９のＢの部分に相当する。Ｂ部分の貫入速度は、Ａの部分より遅くなっている。図４（ｃ）はセメントミルクの高圧噴射と低圧注入を実施した拡大根固め球根１７の築造を開始した状態を示し、同図（ｄ）は拡大根固め球根１７が完成した状態を示し、同図（ｅ）は拡大根固め球根１７中に中空管杭１１の先端部が貫入された状態を示している。
【００２７】
前記高圧噴射口８と低圧吐出口９からのセメントミルクの高圧噴射と低圧注入を同時に実施することにより、拡大根固め球根１７の外部側を高圧噴射で、内部側を低圧注入で築造することができ、短時間で拡大根固め球根１７を築造することができる。
図５および図６はセメントミルクの高圧噴射と低圧注入を同時に実施し、拡大根固め球根１７を築造している様子を示す拡大断面部分説明図であり、図５はオーガ１の高圧噴射口８と低圧吐出口９が略同一レベルにある場合、図６は高圧噴射口８が低圧吐出口９より上方に位置する場合である。この図５および図６から拡大根固め球根１７の、外部側が高圧噴射で、内部側が低圧注入で、築造されている様子がよく理解できる。
【００２８】
また、前記築造した拡大根固め球根１７中に中空管杭１１の先端部を貫入させる方法には、中空管杭１１を所定深度に固定した状態で該中空管杭１１の先端下方に拡大根固め球根１７を築造し、その後に貫入させる方法と、拡大根固め球根１７を築造しつつ同時に中空管杭１１の先端部を該拡大根固め球根１７中に貫入させる方法とがあり、この発明はいずれを採用してもよい。もちろん、この発明は拡大根固め球根１７を中空管杭１１の先端部に築造し、根固め球根１７中に中空管杭１１を貫入させない場合も包含する。
【００２９】
最後に、前記拡大根固め球根１７中に中空管杭１１の先端部が貫入されたら、図４（ｅ）から（ｆ）に示すように前記沈設された中空管杭１１をそのままの位置にしてオーガ１を地上に引き上げる。この時、引き上げ開始からセメントミルクの高圧噴射（低圧注入を同時に併用してもよい）を行い、図４（ｆ）に示すように中空管杭１１の少なくとも先端中空部内の所定範囲にセメントミルク１７ａを充填して引き上げる。この根固め球根築造区間は、図９のＣ、Ｄの部分に相当し、球根築造後に杭を圧入する場合乃至杭の圧入無しの場合はＥ、Ｆの部分に相当する。図９のＤの部分は、Ｅの部分と比べオーガ１の引き上げ速度を速くできる。鋼管杭１１ａの場合には、内壁面に付着した土砂を洗浄すると共に先端内周壁面にリング筋１２が設けられたり、先端部に節部１３が設けられているので、前記セメントミルク１７ａの充填により杭先端部と根固め球根１７が確実に一体化され、杭先端部の閉塞効果が確実になると共に、杭１１の先端支持力を確実に発現させることができる。
このオーガ１を引き上げる際の高圧噴射口８からの高圧噴射により中空管杭１１の内壁面に付着した土砂は除去（吹き飛ばされたり、掻き落とされる）されるので、セメントミルク１７ａとの一体化が強固になる。
図７は完成した拡大根固め球根１７の部分を拡大して示した断面図であり、図８は施工が完成した中空管杭１１を示している。この図８では中空管杭１１として図３に示す鋼管杭１１ａで示している。
【００３０】
次に、この発明の作用を前記実施の形態について説明する。
この発明で使用するオーガ１は、外側に位置する高圧噴射口８と内側に位置する低圧吐出口９とを具備するので、セメントミルクは高圧噴射口８からの高圧噴射だけにするとか、高圧噴射口８と低圧吐出口９からの高圧噴射と低圧注入とを同時に実施する、等の選択が自由に行える。
また、高圧噴射は、外側に位置する高圧噴射口８から行われるので、そのセメントミルクは吐出量は少ないが削孔壁面に向かって強く噴射されるので、その衝撃力で孔壁を崩し拡大させるように作用し、低圧注入は、内側に位置する低圧吐出口９から行われ、吐出量が大きいので、その注入されたセメントミルクは低圧吐出口９の周辺となる。
【００３１】
従って、拡大根固め球根１７の築造に際し、セメントミルクの高圧噴射と低圧注入を同時に実施すると、拡大根固め球根１７の外側部分（拡大部分）は、吐出量の小さな高圧噴射で築造され、内側部分は吐出量の大きな低圧注入で築造されるので、短時間で拡大根固め球根を築造することができる。
また、従来は中空管杭の先端部周面に固設されたフリクションカッターにより、中掘り工法により沈設された中空管杭の周面摩擦力は、一般的に非常に小さかったが、この発明では、中空管杭１１が支持される所定の深度に達する前から、セメントミルクの高圧噴射を実施することで、セメントミルクを中空管杭１１の外側に存在させて、外周面に付着させることができ、これにより中空管杭１１の周面摩擦力を回復させて確保することができる。この時のセメントミルクの高圧噴射条件は、拡大根固め球根１７の築造時よりも吐出圧力や吐出量を低下させてもよい。
【００３２】
また、中掘り工法で中空管杭を沈設すれば、杭中空部内を土砂が下方から上方へ通過するため、中空管内周壁面に土砂が付着する。そのため、特に中空管杭が鋼管杭で形成されているとき、中空管杭先端部と拡大根固め球根との一体化を低下させたり、中空管杭先端部と拡大根固め球根との軸方向力の伝達を阻害したりする可能性がある。この発明では、拡大根固め球根１７の築造が終了した後、オーガ１を引き揚げる工程で、中空管杭１１の先端部を通過する際にセメントミルクを高圧噴射することで、中空管杭１１の内周壁面に付着した土砂を除去することができ、中空管杭１１の先端部と拡大根固め球根との一体化が強固になり、軸方向支持力が確保される。
【００３３】
なお、前記実施の形態は、この発明を制限するものではなく、この発明は要旨を逸脱しない範囲において種々の変更が可能である。例えば、オーガはスクリューオーガだけでなく、中掘り工法において使用するオーガには全て適用可能である。
【００３４】
【発明の効果】
以上詳細に説明した通り、この発明の中空管杭の施工方法によれば、次のような効果を奏する。
（１）拡大根固め球根を築造する際、外部側（拡大部分）をセメントミルクの吐出量の小さな高圧噴射で築造し、同時に内部側（中心部分）を吐出量の大きな低圧注入で築造することにより、拡大根固め球根築造時間を大幅に短縮することができ、作業効率が向上する。
【００３５】
（２）高圧噴射と低圧注入を同時に実施することにより、高圧部と低圧部が完全に一体化した拡大根固め球根を築造することができる。
（３）拡大根固め球根中に中空管杭を貫入させることにより、両者を一体化させ、大きな先端支持力を発現させることができる。
【００３６】
（４）中空管杭が所定深度に達する前から、セメントミルクの高圧噴射を実施することにより、中空管杭外側面より外側に  セメントミルクを存在させることができ、フリクションカッターの存在に拘わらず中空管杭の周面摩擦力を回復させて確保することができる。
【００３７】
（５）中空管杭が鋼管杭であるとき、オーガを回転させながら引き上げる際に杭先端部内壁面に向かってセメントミルクを高圧噴射すれば、内壁面に付着している土砂を除去することができ、内壁面とセメントミルク硬化体との付着力が増大して先端部閉塞効果を確実にすると共に拡大根固め球根との確実な一体化が図れ、先端支持力を確保することができる。
【００３８】
（６）中空管杭が鋼管杭であるとき、先端部内壁面に少なくとも１段のリング状の鉄筋または平鋼板を固設すれば、中空部のセメントミルク硬化体との一体化が向上し、先端部の閉塞効果が確実性を増し、先端支持力が増大する。
【００３９】
（７）中空管杭が鋼管杭であるとき、中空管杭先端部を内面から外方に押し拡げることにより、少なくとも１段のリング状に形成された節部を設けることにより、中空部のセメントミルク硬化体との一体化をより強固にすることができ、先端閉塞効果を確実にすると共に先端部の鉛直方向投影面積をも大きくしているため、先端支持力も増大する。
【図面の簡単な説明】
【図１】  実施の形態を示す中空管杭の施工装置としてのオーガの一部破断要部正面図である。
【図２】  中空管杭とオーガのセット状態を示す一部断面説明図である。
【図３】  中空管杭の一例を示す半断面正面説明図である。
【図４】  中空管杭の施工方法を、工程順（ａ）（ｂ）（ｃ）（ｄ）（ｅ）（ｆ）に示す説明図である。
【図５】  セメントミルクの高圧噴射と低圧注入を同時に実施し、拡大根固め球根の築造をしている様子を示す拡大断面説明図である。
【図６】  セメントミルクの高圧噴射と低圧注入を同時に実施し、拡大根固め球根の築造をしている別の様子を示す拡大断面説明図である。
【図７】  完成した拡大根固め球根部分を示す拡大断面説明図である。
【図８】  施工が完成した中空管杭を示す正面説明図である。
【図９】  セメントミルクの高圧噴射と低圧注入の施工区間を示す説明図である。
【符号の説明】
１    オーガ
２    オーガロッド
３    外管
４    内管
５ａ、５ｂ    セメントミルクの通路
６    スクリュー羽根
７    ビット
８    高圧噴射口
９    低圧吐出口
１０    パイプ
１１    中空管杭
１１ａ    鋼管杭
１２    リング筋
１３    リング状の節
１４    平鋼板（フリクションカッター）
１６    セメントミルク
１７    拡大根固め球根
１７ａ    杭先端部の中空部に充填されたセメントミルク
【図１】
0003948306.tif 000002
【図２】
0003948306.tif 000003
【図３】
0003948306.tif 000004
【図４】
0003948306.tif 000005
【図５】
0003948306.tif 000006
【図６】
0003948306.tif 000007
【図７】
0003948306.tif 000008
【図８】
0003948306.tif 000009
【図９】
0003948306.tif 000010